(57)【特許請求の範囲】
【請求項１】
複数の携帯端末と、複数の基地局と、前記基地局のエリア情報を管轄する移動交換網とを備えた移動交換網携帯端末システムにおける無線品質良好表示方式において、
前記移動交換網にインターネットを介して接続されたサーバを備え、
前記携帯端末は、基地局からの電波の強度のレベルを無線品質として算出する算出手段と、
地球を周回する複数の衛星から送られる信号に基づいて前記携帯端末自身の現在の位置情報を作成する検出手段と、
前記無線品質と前記現在の位置情報とを含む情報を要求信号に乗せて無線品質良好位置情報の要求を行う要求手段と、
前記要求手段により要求した無線品質良好位置情報を画面に表示する表示手段と、を有し、
前記サーバは、各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存したデータベースを備え、
前記無線品質良好位置情報の要求を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出することにより前記携帯端末の現在位置から一番近い地点の方向と距離とを求める抽出手段と、前記求めた方向と距離とを含む前記品質良好位置情報を要求元の前記携帯端末に返信する返信手段と、を有することを特徴とする無線品質良好表示方式。
【請求項２】
複数の携帯端末と、複数の基地局と、前記基地局のエリア情報を管轄する移動交換網とを備えた移動交換網携帯端末システムにおける無線品質良好表示方式において、
前記移動交換網にインターネットを介して接続されたサーバを備え、
前記携帯端末は、基地局からの電波の強度のレベルを無線品質として算出する算出手段と、
地球を周回する複数の衛星から送られる信号に基づいて前記携帯端末自身の現在の位置情報を作成する検出手段と、
前記無線品質と前記現在の位置情報とを含む情報を要求信号に乗せて無線品質良好位置情報の要求を行う要求手段と、
前記要求手段により要求した無線品質良好位置情報を画面に表示する表示手段と、を有し、
前記サーバは、各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存したデータベースを備え、
前記無線品質良好位置情報の要求を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出しその抽出した方向と距離とを基に前記携帯端末の現在位置から一番近い地点までの周辺地図を前記データベースに保存された地図から抽出する抽出手段と、
前記携帯端末の現在位置から前記抽出手段により抽出した地点までの周辺地図を含む前記品質良好位置情報を要求元の前記携帯端末に返信する返信手段と、を有することを特徴とする無線品質良好表示方式。
【請求項３】
前記品質良好位置情報は、前記算出した方向と距離とを含むことを特徴とする請求項２記載の無線品質良好表示方式。
【請求項４】
前記周辺地図には、前記品質分布エリアを含むことを特徴とする請求項２記載の無線品質良好表示方式。
【請求項５】
前記品質良好位置情報は、前記抽出した地点の無線の品質度を含むことを特徴とする請求項１または３記載の無線品質良好表示方式。
【請求項６】
前記携帯端末は、呼設定要求時に前記検出手段で作成した位置情報と前記エリア識別情報と前記無線品質とを含む品質分布登録情報を呼設定要求信号に載せて送信する送信手段を有し、
前記移動交換網は、前記呼設定要求信号を受信すると前記品質分布登録情報を抽出して前記サーバに転送する転送手段を有し、
前記サーバは、前記品質分布登録情報を受信すると前記品質分布登録情報をエリア識別情報毎に位置品質情報として蓄積する蓄積手段と、
前記蓄積手段で蓄積した位置品質情報基に地図上に前記エリア識別情報毎に無線品質をドットでうずめそのうずめたドットをなでていくことでエリア内の品質分布図を作成する作成手段と、
前記作成手段で作成した品質分布図を前記品質分布エリアとして前記データベースに保存する保存手段と、を有することを特徴とする請求項１または２記載の無線品質良好表示方式。
【請求項７】
複数の携帯端末と、複数の基地局と、前記基地局のエリア情報を管轄する移動交換網とを備えた移動交換網携帯端末システムにおける無線品質良好表示方法であって、
前記移動交換網にインターネットを介して接続されたサーバを準備し、
そのサーバに各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存させ、
前記携帯端末は、操作パネルから無線品質良好位置情報の要求が入力されると、前記基地局からの電波の強度をレベルで算出した無線品質と地球を周回する複数の衛星から送られる信号に基づいて作成した現在の位置情報とを含む情報を要求信号に乗せて前記無線品質良好位置情報の要求を行い、
前記サーバは、前記要求信号を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、
その算出した距離を基に前記複数の方向の中で前記中心とした現在の位置情報から一番近い方向を抽出することにより前記携帯端末の現在位置から一番近い地点の方向と距離とを求め、
前記求めた方向と距離とを含む前記品質良好位置情報を要求元の前記携帯端末に返信し、
前記携帯端末は、前記サーバから前記品質良好位置情報を受信するとその受信した無線品質良好位置情報を画面に表示することを特徴とする無線品質良好表示方法。
【請求項８】
複数の携帯端末と、複数の基地局と、前記基地局のエリア情報を管轄する移動交換網とを備えた移動交換網携帯端末システムにおける無線品質良好表示方法であって、
前記移動交換網にインターネットを介して接続されたサーバを準備し、
そのサーバに各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存させ、
前記携帯端末は、操作パネルから無線品質良好位置情報の要求が入力されると、前記基地局からの電波の強度をレベルで算出した無線品質と地球を周回する複数の衛星から送られる信号に基づいて作成した現在の位置情報とを含む情報を要求信号に乗せて前記無線品質良好位置情報の要求を行い、
前記サーバは、前記要求信号を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、
その算出した距離を基に前記複数の方向の中で前記中心とした現在の位置情報から一番近い方向を抽出しその抽出した方向と距離とを基に前記携帯端末の現在位置から一番近い地点までの周辺地図を前記データベースに保存された地図から抽出し、
前記携帯端末の現在位置から前記抽出した地点までの周辺地図を含む前記品質良好位置情報を要求元の前記携帯端末に返信し、
前記携帯端末は、前記サーバから前記品質良好位置情報を受信するとその受信した無線品質良好位置情報を画面に表示することを特徴とする無線品質良好表示方法。
【請求項９】
前記品質良好位置情報は、前記算出した方向と距離とを含むことを特徴とする請求項８記載の無線品質良好表示方法。
【請求項１０】
前記周辺地図には、前記品質分布エリアを含むことを特徴とする請求項８記載の無線品質良好表示方法。
【請求項１１】
前記品質良好位置情報は、前記抽出した地点の無線の品質度を含むことを特徴とする請求項７または９記載の無線品質良好表示方法。
【請求項１２】
前記無線品質良好位置情報の要求は、前記操作パネル上の専用ボタンを押下することで発生することを特徴とする請求項７または８記載の無線品質良好表示方法。
【請求項１３】
前記携帯端末は、呼設定要求時に前記検出手段で作成した位置情報と前記エリア識別情報と前記無線品質とを含む品質分布登録情報を呼設定要求信号に載せて送信し、
前記移動交換網は、前記呼設定要求信号を受信すると前記品質分布登録情報を抽出して前記サーバに転送し、
前記サーバは、前記品質分布登録情報を受信すると前記品質分布登録情報をエリア識別情報毎に位置品質情報として蓄積し、やがて品質分布作成指示が入力されると前記蓄積した位置品質情報基に地図上に前記エリア識別情報毎に無線品質をドットでうずめそのうずめたドットをなでていくことでエリア内の品質分布図を作成し、
前記作成した品質分布図を前記品質分布エリアとして前記データベースに保存することを特徴とする請求項７または８記載の無線品質良好表示方法。
【請求項１４】
複数の携帯端末とのデータのやり取りを基地局と移動交換網を介して行うサーバであって、
各前記基地局からの複数の無線品質度の内で前記基地局の無線の品質度から所定の値減少した範囲に入った無線の品質度のエリアに対応した品質分布エリアを，地図上に基地局を示すエリア識別情報毎に無線の品質度の分布を表示した情報を保存したデータベースを備え、
前記携帯端末から無線品質良好位置情報の要求を行う要求信号を受信すると無線品質と現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出することにより前記携帯端末の現在位置から一番近い地点をの方向と距離とを求める抽出手段と、
前記求めた方向と距離とを含む前記品質良好位置情報を要求元の前記携帯端末に返信する返信手段と、を有することを特徴とするサーバ。
【請求項１５】
複数の携帯端末とのデータのやり取りを基地局と移動交換網を介して行うサーバであって、
各前記基地局からの複数の無線品質度の内で前記基地局の無線の品質度から所定の値減少した範囲に入った無線の品質度のエリアに対応した品質分布エリアを，地図上に基地局を示すエリア識別情報毎に無線の品質度の分布を表示した情報を保存したデータベースを備え、
前記携帯端末から無線品質良好位置情報の要求を行う要求信号を受信すると無線品質と現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出しその抽出した方向と距離とを基に前記携帯端末の現在位置から一番近い地点までの周辺地図を前記データベースに保存された地図から抽出する抽出手段と、
前記携帯端末の現在位置から前記抽出手段により抽出した地点までの周辺地図を含む前記品質良好位置情報を要求元の前記携帯端末に返信する返信手段と、を有することを特徴とするサーバ。
【請求項１６】
前記品質良好位置情報は、前記算出した方向と距離とを含むことを特徴とする請求項１５記載のサーバ。
【請求項１７】
前記周辺地図には、前記品質分布エリアを含むことを特徴とする請求項１５記載のサーバ。
【請求項１８】
前記品質良好位置情報は、前記抽出した地点の無線の品質度を含むことを特徴とする請求項１４または１６記載のサーバ。
【発明の詳細な説明】
【０００１】
【発明の属する技術分野】
本発明は、携帯端末の無線品質良好表示方式および方法、並びにサーバに関し、特に、携帯端末から無線品質良好位置情報の要求を行った場合に移動交換網にインターネットを介して接続されたサーバで無線品質良好位置情報を算出（抽出）して携帯端末の画面に表示する無線品質良好表示方式および方法、並びにサーバに関する。
【０００２】
【従来の技術】
従来技術における電波の強度に関する技術として、基地局からの電波を携帯端末の表示画面に現在地の電波の強度をレベルで表示することが開示されている。
【０００３】
【発明が解決しようとする課題】
しかしながら、次世代携帯電話のデータ転送速度は、３８４ｋｂｐｓから２Ｍｂｐｓが実現される。そのため、この速度を使用してデータの送受信を行うには、基地局からの電波の品質が良好であることが１つの条件となる。
【０００４】
すなわち、高速の転送速度が要求される携帯端末システムでは、できるだけ現在位置よりも電波の強度が強い場所に移動する機会が必要となるため、従来技術である電波の強度を表示画面に表示させるだけでは、どこに移動してよいかわからないという問題点がある。
【０００５】
本発明の目的は、上記問題点を鑑み、電波の受信感度が悪いと感じた場合に現在位置よりもできるだけ無線品質の良い地点に移動することにある。
【０００６】
また、本発明の別の目的は、携帯端末の保存できる容量のことを考慮した無線品質の良い場所への移動サービスを提供することにある。
【０００７】
【課題を解決するための手段】
上記目的を達成するために、本発明の第１の無線品質良好表示方式は、複数の携帯端末と、複数の基地局と、前記基地局のエリア情報を管轄する移動交換網とを備えた移動交換網携帯端末システムにおける無線品質良好表示方式において、前記移動交換網にインターネットを介して接続されたサーバを備え、前記携帯端末は、基地局からの電波の強度のレベルを無線品質として算出する算出手段と、地球を周回する複数の衛星から送られる信号に基づいて前記携帯端末自身の現在の位置情報を作成する検出手段と、前記無線品質と前記現在の位置情報とを含む情報を要求信号に乗せて無線品質良好位置情報の要求を行う要求手段と、前記要求手段により要求した無線品質良好位置情報を画面に表示する表示手段と、を有し、前記サーバは、各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存したデータベースを備え、前記無線品質良好位置情報の要求を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出することにより前記携帯端末の現在位置から一番近い地点の方向と距離とを求める抽出手段と、前記求めた方向と距離とを含む前記品質良好位置情報を要求元の前記携帯端末に返信する返信手段と、を有することを特徴としている。
【０００８】
また、本発明の第２の無線品質良好表示方式は、複数の携帯端末と、複数の基地局と、前記基地局のエリア情報を管轄する移動交換網とを備えた移動交換網携帯端末システムにおける無線品質良好表示方式において、前記移動交換網にインターネットを介して接続されたサーバを備え、前記携帯端末は、基地局からの電波の強度のレベルを無線品質として算出する算出手段と、地球を周回する複数の衛星から送られる信号に基づいて前記携帯端末自身の現在の位置情報を作成する検出手段と、前記無線品質と前記現在の位置情報とを含む情報を要求信号に乗せて無線品質良好位置情報の要求を行う要求手段と、前記要求手段により要求した無線品質良好位置情報を画面に表示する表示手段と、を有し、前記サーバは、各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存したデータベースを備え、前記無線品質良好位置情報の要求を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出しその抽出した方向と距離とを基に前記携帯端末の現在位置から一番近い地点までの周辺地図を前記データベースに保存された地図から抽出する抽出手段と、前記携帯端末の現在位置から前記抽出手段により抽出した地点までの周辺地図を含む前記品質良好位置情報を要求元の前記携帯端末に返信する返信手段と、を有することを特徴としている。
【０００９】
更に、上記の第２の無線品質良好表示方式において、前記品質良好位置情報は、前記算出した方向と距離とを含むことを特徴としている。
【００１０】
更に、上記の第２の無線品質良好表示方式において、前記周辺地図には、前記品質分布エリアを含むことを特徴としている。
【００１１】
更に、上記の第１または第２の無線品質良好表示方式において、前記品質良好位置情報は、前記抽出した地点の無線の品質度を含むことを特徴としている。
【００１２】
更に、上記の第１または第２の無線品質良好表示方式において、前記携帯端末は、呼設定要求時に前記検出手段で作成した位置情報と前記エリア識別情報と前記無線品質とを含む品質分布登録情報を呼設定要求信号に載せて送信する送信手段を有し、前記移動交換網は、前記呼設定要求信号を受信すると前記品質分布登録情報を抽出して前記サーバに転送する転送手段を有し、前記サーバは、前記品質分布登録情報を受信すると前記品質分布登録情報をエリア識別情報毎に位置品質情報として蓄積する蓄積手段と、前記蓄積手段で蓄積した位置品質情報基に地図上に前記エリア識別情報毎に無線品質をドットでうずめそのうずめたドットをなでていくことでエリア内の品質分布図を作成する作成手段と、前記作成手段で作成した品質分布図を前記品質分布エリアとして前記データベースに保存する保存手段と、を有することを特徴としている。
【００１３】
また、本発明の第１の無線品質良好表示方法は、複数の携帯端末と、複数の基地局と、前記基地局のエリア情報を管轄する移動交換網とを備えた移動交換網携帯端末システムにおける無線品質良好表示方法であって、前記移動交換網にインターネットを介して接続されたサーバを準備し、そのサーバに各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存させ、前記携帯端末は、操作パネルから無線品質良好位置情報の要求が入力されると、前記基地局からの電波の強度をレベルで算出した無線品質と地球を周回する複数の衛星から送られる信号に基づいて作成した現在の位置情報とを含む情報を要求信号に乗せて前記無線品質良好位置情報の要求を行い、前記サーバは、前記要求信号を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出することにより前記携帯端末の現在位置から一番近い地点の方向と距離とを求め、前記求めた方向と距離とを含む前記品質良好位置情報を要求元の前記携帯端末に返信し、前記携帯端末は、前記サーバから前記品質良好位置情報を受信するとその受信した無線品質良好位置情報を画面に表示することを特徴としている。
【００１４】
また、本発明の第２の無線品質良好表示方法は、複数の携帯端末と、複数の基地局と、前記基地局のエリア情報を管轄する移動交換網とを備えた移動交換網携帯端末システムにおける無線品質良好表示方法であって、前記移動交換網にインターネットを介して接続されたサーバを準備し、そのサーバに各前記基地局からの複数の無線の品質度の内で前記基地局の無線の品質度から所定の値減少した範囲に入った無線の品質度のエリアに対応した品質分布エリアを，地図上にエリア識別情報毎に表示した情報を保存させ、前記携帯端末は、操作パネルから無線品質良好位置情報の要求が入力されると、前記基地局からの電波の強度をレベルで算出した無線品質と地球を周回する複数の衛星から送られる信号に基づいて作成した現在の位置情報とを含む情報を要求信号に乗せて前記無線品質良好位置情報の要求を行い、前記サーバは、前記要求信号を受信すると前記無線品質と前記現在の位置情報とを前記要求信号から抽出しその抽出した現在の位置情報を中心にして予め決められた複数の方向に前記地図上に線を引きその各方向の線上で前記抽出した無線の品質度よりも高い品質度の品質分布エリアと重なるまでの距離を算出し、その算出した距離を基に前記複数の方向の中で前記中心とした現在の位置情報から一番近い方向を抽出しその抽出した方向と距離とを基に前記携帯端末の現在位置から一番近い地点までの周辺地図を前記データベースに保存された地図から抽出し、前記携帯端末の現在位置から前記抽出した地点までの周辺地図を含む前記品質良好位置情報を要求元の前記携帯端末に返信し、前記携帯端末は、前記サーバから前記品質良好位置情報を受信するとその受信した無線品質良好位置情報を画面に表示することを特徴としている。
【００１５】
更に、上記の第２の無線品質良好表示方法において、前記品質良好位置情報は、前記算出した方向と距離とを含むことを特徴としている。
【００１６】
更に、上記の第２の無線品質良好表示方法において、前記周辺地図には、前記品質分布エリアを含むことを特徴としている。
【００１７】
更に、上記の第１または第２の無線品質良好表示方法において、前記品質良好位置情報は、前記抽出した地点の無線の品質度を含むことを特徴としている。
【００１８】
更に、上記の第１または第２の無線品質良好表示方法において、前記無線品質良好位置情報の要求は、前記操作パネル上の専用ボタンを押下することで発生することを特徴としている。
【００１９】
更に、上記の第１または第２の無線品質良好表示方法において、前記携帯端末は、呼設定要求時に前記検出手段で作成した位置情報と前記エリア識別情報と前記無線品質とを含む品質分布登録情報を呼設定要求信号に載せて送信し、前記移動交換網は、前記呼設定要求信号を受信すると前記品質分布登録情報を抽出して前記サーバに転送し、前記サーバは、前記品質分布登録情報を受信すると前記品質分布登録情報をエリア識別情報毎に位置品質情報として蓄積し、やがて品質分布作成指示が入力されると前記蓄積した位置品質情報基に地図上に前記エリア識別情報毎に無線品質をドットでうずめそのうずめたドットをなでていくことでエリア内の品質分布図を作成し、前記作成した品質分布図を前記品質分布エリアとして前記データベースに保存することを特徴としている。
【００２０】
【発明の実施の形態】
次に、本発明の実施の形態について、図面を参照して説明する。
【００２１】
図１を参照すると、本発明の実施の形態におけるシステム構成を示しており、本実施の形態は、ＧＰＳ搭載の携帯電話端末である複数の携帯端末１と、複数の基地局２と、無線品質分布サーバ３と、基地局２から電波の届く範囲であって基地局２毎の位置登録情報に対応した複数の位置登録エリア４と、携帯端末の位置情報の管理、携帯端末１からの呼設定や切断、認証等を行う移動交換網５と、携帯端末１の位置情報を登録し管理しているＨＬＲ５１と、公衆電話網６と、ＩＰプロトコルの通信網であるインターネット７と、地球を周回する複数の衛星８とから構成される。
【００２２】
図２を参照すると、図１の無線品質分布サーバ３は、サーバ、ワークステーション等の情報処理装置である内部構成を示し、プロセッサ（ＣＰＵ）によりプログラム制御で動作する制御部３１と、インターネット７とのデータのやり取りを行うインタフェース部３２と、携帯端末１毎に位置情報と無線品質の情報とを管理している位置情報データベース３３と、地図情報データベース３４と、品質分布データベース３５と、方角数値対応テーブル３６と、から構成される。
【００２３】
図２の位置品質情報データベース３３と全国の地図情報を保存している地図情報データベース３４と品質分布データベース３５とは、読み出し書き込みのできる不揮発性の記録媒体装置（例えば、磁気ディスク）である。
【００２４】
図４を参照すると、図２の位置品質情報データベース３３の構成を示しており、エリア識別情報（基地局の識別番号）毎に基地局からの受信電波の感度レベル（品質度）を全て収集しており、ユーザが携帯端末１を接続するときに無線品質分布サーバ３に送信される品質分布登録情報により収集される。
【００２５】
図５を参照すると、図２の品質分布データベース３５の内容を示しており、携帯端末１から送信される端末の位置情報（基地局の位置情報を含む）を基に作成されるある地域の各基地局のエリア内における品質度（基地局からの受信電波の感度レベルの平均値）を地図上に示した分布図である。
【００２６】
図６を参照すると、図２の方角数値対応テーブル３６の構成を示しており、数値と方角と角度（この場合の角度とは、方角を決定するための角度の範囲を示す）との関係を示したテーブルである。なお、方角数値対応テーブル３６は、あらかじめ準備されており、無線品質分布サーバ３が立ち上がったときに図示していないメモリ（例えばＲＡＭ）内に図示していない不揮発性の記憶部（例えば、磁気ディスク）からロードされる。
【００２７】
図２の無線品質分布サーバ３の制御部３１は、携帯端末１からの発信情報を基に位置情報データベース３３に品質情報を蓄積し、携帯端末１からの無線品質良好情報の要求に対し、位置情報の計算を行い通知する手段を有する。
【００２８】
図３を参照すると、携帯端末１で特徴のある点だけを示した構成図であって、操作パネル上の無線品質良好位置要求ボタン１１と、要求した無線品質良好位置情報等が表示される表示部１２（例えば、ＬＣＤ）とから構成される。
【００２９】
図７を参照すると、携帯端末１が無線品質分布サーバ３から受信した方角数値と表示部２１に表示する矢印の方向との関係を示す方角表示対応テーブル内の構成を示しており、方角表示テーブルは、携帯端末１の図示していない不揮発性メモリ（例えば、フラッシュメモリ）内のエリアに割り当てられている。従って、携帯端末１の方角表示テーブル内の方角数値は、無線品質分布サーバ３の方角数値対応テーブル３６の方角数値に対応していることになる。
【００３０】
携帯端末１は、地球上の起動でかつ精度の高い情報を得るために、常に、地球上の起動を周回する複数の衛星８から送られる信号に基づいて位置計算を実行するＧＰＳ（Ｇｌｏｂａｌ  Ｐｏｓｉｔｉｏｎｉｎｇ  Ｓｙｓｔｅｍ）が利用される。すなわち、携帯端末１は、衛星８からの信号を図示していないＧＰＳ受信機で受信し、受信した信号から位置情報を抽出し、一時的に内部メモリ（例えば、ＲＡＭ）に最新情報として保存する。また、携帯端末１が、常に、基地局２からの電波の強さを携帯端末１の表示部１２に表示すると共に、無線の品質度（以降、単に品質度と呼ぶ場合がある）としてレベル（例えば、７段階の数値で高ければ品質がよい）に算出し、内部メモリに最新情報として保存する。また、携帯端末１は、電源ＯＮ時、ハンドオーバー等により基地局のエリア識別情報が基地局２から通知されることになる（この場合、移動交換網５のＨＬＲ５１には、携帯端末１の位置がわかるように保存される）が、この基地局２のエリア識別情報も内部メモリに最新情報として保存される。携帯端末１が移動交換網５、公衆電話網６等に接続するときに、内部メモリに保存されている、基地局のエリア識別情報とＧＰＳから得た位置情報と無線品質（無線の品質度）とが、移動交換網５経由で無線品質分布サーバ３に送信される。
【００３１】
次に、図１〜図７を参照して、本発明の実施の形態の動作について説明する。
【００３２】
品質分布サーバ３の感度分布データベース３５は、予め提供する側が準備してもよいし、自動的に作成（更新）するようにしても良い。自動的に、無線分布サーバ３が品質分布データベース３５を作成（更新）する場合の動作について、説明する。
【００３３】
各携帯端末１が呼設定要求時に衛星８から得た現在の端末位置情報（現在地「緯度、経度」）と予め接続すべき基地局２から通知されているエリア識別情報と無線品質情報（現在の電波の強度を示す値）とを呼設定要求信号に乗せて送信する（図８のシーケンスＳ１０１）。
【００３４】
すると、基地局２を介して呼設定を受信した移動交換網５は、現在地とエリア識別情報と無線品質情報とを含む品質分布登録情報を、インターネット７を介して無線品質分布サーバ３に送信する（シーケンスＳ１０２）。
【００３５】
インタフェース３２を介して品質分布登録情報を受信した無線品質分布サーバ３の制御部３１は、品質分布登録情報を基に位置品質情報データベース３３内の該当するエリア識別情報のエリアにエリア識別情報を、位置情報に現在地を、品質度に無線品質情報を、それぞれ格納することにより位置品質情報データベース３３に蓄積する（シーケンスＳ１０３）。この場合、基地局の品質度は、蓄積した無線品質情報（品質度）の内で基地局自身の位置情報に対応する品質度になる。
【００３６】
このようにして、蓄積した情報をある時期に品質分布エリアを作成するように無線品質分布サーバ３の図示していないキーボードから無線品質分布サーバ３の管理者がコマンド入力すると、無線品質分布サーバ３の制御部３１は、図示していないメモリ内に地図情報データベース３４から基地局の位置が入った地図を展開し、基地局２から例えば、品質度が−２以内のデータを持つ位置情報を品質分布データベース３５の地図にドットし、基地局内の全てのドットをうずめ、ドットをなでていくことで基地局の品質分布エリアを決定し、更に、全国全ての基地局に対して同じように繰り返すことにより、図５に示すような無線品質分布のエリアを表示した全国展開の品質分布地図を作成する。この場合、エリア識別情報および無線品質情報（エリア内の平均品質度）も地図上に登録する。更に、制御部３１は、メモリ内に作成した品質分布地図を品質分布データベース３５に正式な情報として登録する。
【００３７】
なお、品質分布データベース３５を作成するに当たって、品質分布エリア内を品質度の−２以内の範囲で埋め尽くすようにしたが、０以内、−１以内、−２以内という風に１つの基地局に対して複数のエリアを設けても良い（例えば、基地局の品質度が７であれば、品質度７、品質度６、品質度５の範囲の品質分布エリアが品質分布データベース３５に登録される）。
【００３８】
次に、携帯端末１の無線品質良好位置要求ボタン１１を押下した場合の動作について説明する。
【００３９】
携帯端末１の無線品質良好位置要求ボタン１１が押下されると、携帯端末１は、ＧＰＳから得た現在の端末位置情報（現在地「緯度、経度」）と予め接続すべき基地局から通知されているエリア識別情報と無線品質情報（現在の電波の強度を示す値）とを内部メモリから読み出して無線品質良好位置情報要求信号に乗せて無線品質分布サーバ３宛に無線品質良好位置情報の要求を基地局２、移動交換網５経由で行う（図９のシーケンスＳ２０１，Ｓ２０２）。この場合、あて先である無線品質分布サーバ３宛は、携帯端末１の不揮発性メモリに予め登録されている。
【００４０】
インタフェース３２を介して無線品質良好位置要求を受信した無線品質分布サーバ３の制御部３１は、要求元の携帯端末１のエリア識別情報と無線品質情報と現在地とを抽出する（図８のステップＳ２１１）。
【００４１】
無線品質分布サーバ３の制御部３１は、現在地を中心（中心となる座標「緯度、経度」）に図６（ｂ）のような各方向への線を品質分布データベース３５の品質分布地図上に引き、現在地の品質度よりも高い品質度を持つ品質分布エリアと重なる地点（座標）を各方向毎に求め、それぞれの方向毎の距離を算出する（ステップＳ２１３）。なお、例では、８方向としたが、方向の数は限定しない。
【００４２】
更に、制御部３１は、８方向の内で一番近い方角を抽出し、抽出した方角を方角数値対応テーブル３６に従った方向数値に変換する（ステップＳ２１３）。
【００４３】
更に、制御部３１は、現地点から移動するまでの周辺地図を地図情報データベース３４から抽出し、抽出した地図上に現地点を示すマークと移動したときの品質度と移動先のマークと移動先までの距離とを付加する（ステップＳ２１４）。
【００４４】
更に、制御部３１が要求のあった情報を要求元の携帯端末1に送信することになるが、品質度が悪すぎるとデータ量の多い周辺地図が携帯端末1に対して届かないことが考えられるので、制御部３１は、距離と移動したときの品質度と方向数値とを含む方向情報と、周辺地図とを別々にして送信する（図８のステップＳ２１５，図１０のシーケンスＳ２２１，Ｓ２２２）。
【００４５】
周辺地図を受信した携帯端末１は、受信した情報を、表示部１２に表示する。この場合、方向数値を受信した場合には、不揮発性のメモリに格納されている方角表示テーブルを基に点滅すべき表示を算出して、表示部１２に方向を示す表示を点滅させ（「１」という情報が来れば、北「真上」を指すようにする）、周辺地図を受信した場合には、受信した地図をそのまま表示部１２に表示する。すなわち、携帯端末１は、無線品質良好位置要求ボタン１１が押下されると、無線品質良好位置情報を無線品質分布サーバ３から受信し、その受信した無線品質良好位置情報を表示部１２に表示することになる。
【００４６】
なお、上記のステップＳ２１４の説明において、制御部３１は、現地点から移動するまでの周辺地図を地図情報データベース３４から抽出するようにしたが、品質分布データベース３５から抽出するようにしても良い。すると、周辺地図には、上記の情報のほかに品質分布エリアとそのエリアの品質度とが入ることになる。
【００４７】
以上説明したように、ユーザは、データ通信を行う際、携帯端末１の表示部１２に表示される方向に移動することにより、接続先とスムーズなデータの転送を実現することができる。
【００４８】
すなわち、携帯端末１の無線品質良好位置要求ボタン１１がユーザに押下されることにより、無線品質分布サーバ３は、携帯端末１からの無線品質良好位置情報の要求を受け取り、携帯端末１の現在地の無線品質とその周辺の無線品質を比較して、どの方角へどのくらいの距離を移動すれば無線品質がどのくらいのレベルまで上がるかを通知して表示部１２に表示させると共に、携帯端末１の現在地から移動先の地点までの周辺地図を携帯端末１の表示部１２に表示させるので、例え、現在地の受信感度が悪すぎてデータ量の多い周辺地図が表示できなかったとしても、方向と距離とを携帯端末１の表示部１２に表示させるので、無線品質の良い場所に移動させることができる。
【００４９】
また、データ量の多い地図情報等を無線品質分布サーバ３内に保存し、必要時に必要な周辺地図だけを送るようにしているため、携帯端末は、身軽な状態で、品質良好位置のサービスを受けることができる。
【００５０】
また、上記のように無線品質良好位置要求ボタン１１をワンタッチで押すことにより、無線品質良好位置情報を画面に表示してくれるので、操作上容易である。
【００５１】
また、この表示により、移動が可能であれば、その場所まで移動することによりリトライが発生しなくて不足のない通信が可能となり、ユーザにとって、接続時間によって課金されるデータ通信の場合には、通信時間が短くなり、通信料金が少なくてすむことができる。
【００５２】
また、呼設定時に品質分布登録情報（エリア識別情報、無線品質情報、現在地）を無線品質分布サーバ３に送信するようにしているため、電波の無線品質が悪い位置を事業者が把握することができ、今後の基地局設置の計画の参考データとして用いることができる。
【００５３】
【発明の効果】
以上説明したように、本発明は、携帯端末から無線品質良好位置を要求することで、サーバで現在地よりも品質の良い位置を自動的に抽出し、その抽出した無線品質良好位置情報を携帯端末の画面に表示するため、無線品質の良い地点に移動してすることができ、良い環境の基で通信ができるという効果がある。
【００５４】
また、本発明は、携帯端末から無線品質良好位置を要求することで、サーバで現在地よりも品質の良い位置を自動的に抽出し、その抽出した無線品質良好位置情報を携帯端末の画面に表示するため、その場所まで移動することによりリトライが発生しなくて不足のない通信が可能となり、ユーザにとって、接続時間によって課金されるデータ通信の場合には、通信時間が短くなり、通信料金が少なくてすむことができるという効果がある。
【００５５】
また、本発明は、呼設定時に送信する品質分布登録情報（エリア識別情報、無線品質情報、現在地）をサーバが収集しているため、電波の無線品質が悪い位置を事業者が把握することができ、今後の基地局設置の計画の参考データとして用いることができるという効果がある。
【００５６】
また、本発明は、データ量の多い地図情報等をサーバ側に保存し、必要時に必要な周辺地図だけを送るようにしているため、携帯端末は、身軽な状態で、品質良好位置のサービスを受けることができるという効果がある。
【図面の簡単な説明】
【図１】本発明の実施の形態のシステム構成を示すブロック図である。
【図２】図１の無線品質分布サーバ内の構成を示すブロック図である。
【図３】図１の携帯端末の外観構造を示すブロック図である。
【図４】図１の無線品質分布サーバの位置品質情報データベース内の構成の概略を示す構成概略図である。
【図５】図１の無線品質分布サーバの品質分布データベース内の無線品質分布地図作成時におけるある地域の各エリア（ゾーン）の無線品質度の分布である品質分布エリアを示す構成概略図である。
【図６】図１の無線品質分布サーバの方角対応テーブルの構成と現在地の方角とを示す構成概略図である。
【図７】図１の携帯端末の方角表示テーブル内の構成の概略を示す構成外略図である。
【図８】図１の無線品質分布サーバが携帯端末からの無線品質良好位置情報要求を受信した時に動作するフローチャートである。
【図９】携帯端末と移動交換網と無線品質分布サーバと間での移動端末接続時に送信される品質分布登録情報のやり取りの動作を示すシーケンス図である。
【図１０】携帯端末と移動交換網と無線品質分布サーバと間での携帯端末の無線品質良好位置情報要求時おける情報のやり取りの動作を示すシーケンス図である。
【符号の説明】
１    携帯端末
２    基地局
３    無線品質分布サーバ
４    エリア
５    移動交換網
６    公衆電話網
７    インターネット
８    衛星
１１    無線品質良好位置要求ボタン
１２    表示部
３１    制御部
３２    インタフェース部
３３    位置品質情報データベース
３４    地図情報データベース
３５    品質分布データベース
３６    方角数値対応テーブル
５１    ＨＬＲ
【図１】
0003925193.tif 000002
【図２】
0003925193.tif 000003
【図３】
0003925193.tif 000004
【図４】
0003925193.tif 000005
【図５】
0003925193.tif 000006
【図６】
0003925193.tif 000007
【図７】
0003925193.tif 000008
【図８】
0003925193.tif 000009
【図９】
0003925193.tif 000010
【図１０】
0003925193.tif 000011